(57)【要約】【課題】電気機器の消費電力測定を行う消費電力測定器とそれに接続された電気機器との対応関係の設定を容易にする【解決手段】電源に接続するための電源接続部と、電気機器に電力を供給するための機器接続部を有し、前記機器接続部に接続される前記電気機器の消費電力に関する情報を取得する消費電力測定器であって、前記消費電力測定器に接続される電気機器に関する情報を入力するための入力部と、入力部から入力された情報と、消費電力に関する情報とを送信するための送信部とを備える。【選択図】図２
2014035274.tif 000002
【特許請求の範囲】
【請求項１】
電気機器の消費電力情報を取得する消費電力測定器であって、
電源に接続する電源接続部と、
前記電気機器に接続して電力を供給する機器接続部と、
前記電気機器に関する電気機器情報を入力する入力部と、
前記電気機器情報と前記消費電力情報とを送信する送信部とを有する消費電力測定器。
【請求項２】
前記消費電力測定器は、前記電気機器情報を記憶する記憶部を有する請求項１に記載の消費電力測定器。
【請求項３】
前記電気機器情報は、コード情報であり、
前記入力部は、コード読み取り手段である請求項１または２に記載の消費電力測定器。
【請求項４】
電気機器の消費電力情報を取得する消費電力測定器と、
前記消費電力測定器から送信された前記消費電力情報に基づいて消費電力に関する情報を表示するコントローラからなる電力測定システムであって、
前記消費電力測定器は、電源に接続する電源接続部と、
前記電気機器に電力を供給するための機器接続部と、
前記電気機器に関する電気機器情報を入力する入力部と、
前記電気機器情報と、前記消費電力情報とを送信する送信部とを有する電力測定システム。
【請求項５】
前記電力測定システムは、中継器を有し、
前記送信部は、前記電気機器情報および前記消費電力情報を、前記中継器を介して前記コントローラに送信する請求項４に記載の電力測定システム。
【発明の詳細な説明】
【技術分野】
【０００１】
本発明は、消費電力測定器および電力測定システムに関し、特に、電気機器の電力を測定する消費電力測定器、電力測定システムに関する。
【背景技術】
【０００２】
従来、電気機器の電力供給用差し込みプラグと家庭用コンセントに間に消費電力測定器を接続することにより、消費電力を測定し、測定結果を端末で把握する電力測定システムが提案されており、例えば、特許文献１の電力測定システムには各家電機器と室内コンセントの間に個別電力計を接続し、管理端末で電力測定結果を把握する電力測定システムが示されている。
【０００３】
図７は、従来の電力測定システムを示すブロック図である。図７において、電力測定システム４０００は、電力を供給し、かつ、電力線搬送波通信を行う電力線４０５０、４０５０ａ〜ｚと、電力線４０５０、４０５０ａ〜ｚがそれぞれ接続され家屋内に設けられた宅内コンセント４０４０ａ〜ｚと、家電機器４０１０a〜ｙごとに設けられ、家電機器４０１０ａ〜ｙの瞬間消費電力および累積消費電力を測定し測定した時刻とともに電力測定結果として出力する個別電力計４０２０ａ〜ｙと、個別電力計４０２０ａ〜ｙから出力された電力測定結果を電力線搬送波通信により電力線４０５０、４０５０ａ〜ｙにそれぞれ送信する第１の電力線搬送波通信モデム４０３０ａ〜ｙと、第１の電力線搬送波通信モデム４０３０ａ〜ｙから送信された電力測定結果を電力線４０５０および４０５０ａ〜ｚを介して受信する第２の電力線搬送波通信モデム４０３０ｚと、単位時間当たりの各々の家電機器４０１０ａ〜ｙの累積消費電力を算出する管理端末４１００と、を備えて構成されている。
【０００４】
電気機器である各家電機器４０１０ａ〜ｙは、それぞれに接続された消費電力測定器である個別電力計４０２０ａ〜ｙおよび電力線搬送波通信モデム４０３０ａ〜ｙを介して宅内コンセントから電力が供給されて動作する。各家電機器４０１０ａ〜ｙは、それぞれに接続された個別電力計４０２０ａ〜ｙによって電力が測定され、電力線搬送波通信モデム４０３０ａ〜ｙの記憶媒体４０３１ａ〜ｙに蓄えられる。記憶媒体４０３１ａ〜ｙに蓄えられた電力情報は、電力線通信によって家庭内配線を通じてコントローラである管理端末４１００に接続された第２の電力線搬送波通信モデム４０３０ｚに送信され、管理端末４１００のデータ蓄積部４１０２に蓄えられる。ユーザは表示部４１０１にデータ蓄積部４１０２に蓄積された電力情報を表示させることで、消費電力情報を把握することができる。
【先行技術文献】
【特許文献】
【０００５】
特開２００７−２２５３７４号公報
【発明の概要】
【発明が解決しようとする課題】
【０００６】
しかしながら、電気機器毎に消費電力測定器を設置する特許文献１のような電力測定システムおいては、あらかじめ、電気機器と消費電力測定器との対応関係をユーザがコントローラを操作して設定しておくことが必要である。そのため、消費電力測定器およびそれに接続する電気機器が複数ある場合には、電気機器と消費電力測定器との対応関係をそれぞれ設定することは煩雑であるという問題があった。
【０００７】
本発明の目的は、電気機器の消費電力測定を行う消費電力測定器とそれに接続された電気機器との対応関係の設定を容易にする消費電力測定器および電力測定システムを提供することである。
【課題を解決するための手段】
【０００８】
本発明の消費電力測定器は、電気機器の消費電力情報を取得する消費電力測定器であって、電源に接続する電源接続部と、電気機器に接続して電力を供給する機器接続部と、電気機器に関する電気機器情報を入力する入力部と、電気機器情報と消費電力情報とを送信する送信部とを有するものである。
【０００９】
また、本発明の他の消費電力測定器は、電気機器情報を記憶する記憶部をさらに有するものを含む。
【００１０】
また、本発明の他の消費電力測定器は、電気機器情報はコード情報であって、入力部は、コード読み取り手段であるものを含む。
【００１１】
本発明の電力測定システムは、電気機器の消費電力情報を取得する消費電力測定器と、消費電力測定器から送信された消費電力情報に基づいて消費電力に関する情報を表示するコントローラからなる電力測定システムであって、消費電力測定器は、電源に接続する電源接続部と、電気機器に電力を供給するための機器接続部と、電気機器に関する電気機器情報を入力する入力部と、電気機器情報と、消費電力情報とを送信する送信部とを有するものである。
【００１２】
また、本発明の他の電力測定システムは中継器を有し、送信部は、電気機器情報および消費電力情報を、中継器を介してコントローラに送信するものを含む。
【発明の効果】
【００１３】
本発明によれば、電力測定する消費電力測定器と、それに接続された電気機器との対応関係の設定をユーザが容易に実行することができる。
【図面の簡単な説明】
【００１４】
【図１】電力測定システムの概略構成を示した図である。
【図２】消費電力測定器であるタップを示した図である。
【図３】消費電力測定器であるタップのハードウェア構成を示した図である。
【図４】中継器のハードウェア構成を示した図である。
【図５】タブレット端末のハードウェア構成を示した図である。
【図６】電気機器に関するコードを認識するための手順を示したフローチャートである。
【図７】従来の消費電力測定器を示すブロック図である。
【発明を実施するための形態】
【００１５】
以下、図面を参照しつつ、本発明の実施の形態に関わる電子装置および電力測定システムについて説明する。以下の説明では同一の部品には同一の符号を付してある。それらの名称および機能も同じである。したがって、それらについて詳細な説明は繰り返さない。
【００１６】
図１は、本発明の実施の形態に係る電力測定システムの概略構成を示した図である。図１を参照して、本発明の実施の形態に係るシステムにはネットワークＺとネットワークＥから構成される。ネットワークＺは、ＺｉｇＢｅｅ(登録商標)等の低速無線通信ネットワークを示す。ネットワークＥは、高速通信ネットワークを示し、例えば、Ｅｔｈｅｒｎｅｔ（登録商標）、または、ＷｉＦｉ（登録商標：Wireless  Fidelity）、またはそれらの組み合わせを示す。なお、本例においては上記の方式を用いたネットワークについて説明するが特に上記に限るものではない。例えば、ネットワークＺにＺ−ＷＡＶＥ（登録商標）、Ｂｌｕｅｔｏｏｔｈ（登録商標）、特定小電力無線などを用いることができる。また例えば、ネットワークＥにＰＬＣ（Power  Line  Communications：電力線通信）などを用いることも可能である。
【００１７】
ネットワークＺには、中継器１００１と、消費電力測定器である複数のタップ１００４ａ，１００４ｂ，１００４ｃが含まれている。また、ネットワークＥには、中継器１００１と、ワイヤレスブロードバンドルータ１００２と、パーソナルコンピュータ１００３および、タブレット端末１００８が含まれている。中継器１００１はネットワークＺとネットワークＥの両方のネットワークに属する。また、中継器１００１はＨＴＴＰ（Hyper  Text  Transfer  Protocol）サーバ機能を有する。
【００１８】
エアコンディショナー１００５の電源プラグ１０５１は、タップ１００４ａのソケットに差し込まれている。同様に、冷蔵庫１００６の電源プラグ１０６１は、タップ１００４ｂのソケットに差し込まれている。また、テレビ１００７の電源プラグ１０７１は、タップ１００４ｃのソケットに差し込まれている。
【００１９】
タップ１００４ａ、１００４ｂ、１００４ｃは、それぞれ、宅内に設置されたコンセント１０１５，１０１６，１０１７に取り付けられている。これにより、タップ１００４ａ，１００４ｂ、１００４ｃは、給電される。
【００２０】
タップ１００４ａ、１００４ｂ、１００４ｃは、各々のタップに接続される各電気機器であるエアコンディショナー１００５、冷蔵庫１００６、テレビ１００７の消費電力を測定する消費電力測定器である。たとえば、タップ１００４ａは、エアコンディショナー１００５の消費電力を測定する。タップ１００４ａ、１００４ｂ、１００４ｃの各々は、測定した消費電力に基づく消費電力情報を中継器１００１に送信することができる。なお、以下では、説明の便宜上、タップ１００４ａ，１００４ｂ，１００４ｃを区別することなく表わす場合には、「タップ１００４」と表記する。
【００２１】
中継器１００１および複数のタップ１００４の各々は、低速無線通信モジュールを備える。中継器１００１と複数のタップ１００４とにより、低速無線通信ネットワークＺ（以下、単に「ネットワークＺ」とも称する）を構成している。また、中継器１００１は、Ｅｔｈｅｒｎｅｔによりワイヤレスブロードバンドルータ１００２に接続されている。
【００２２】
中継器１００１は、ネットワークＺとネットワークＥとの媒体変換装置であるブリッジ、あるいは、プロトコル変換装置であるゲートウェイとして機能する。中継器１００１は、複数のタップ１００４との間で低速度の無線通信を行なう。
【００２３】
タップ１００４は、消費電力を測定したい電気機器毎に接続されるため、数が多くなると、消費電力測定のための消費電力は増大するが、タップ１００４から中継器１００１の通信に低消費電力の低速無線通信ネットワークＺを使用することにより、タップ自身が消費する消費電力が抑えることができる。
【００２４】
中継器１００１に接続されるワイヤレスブロードバンドルータ１００２は、インターネットに接続されていてもよい。パーソナルコンピュータ１００３は、ＥｔｈｅｒｎｅｔまたはＷｉＦｉにより、ワイヤレスブロードバンドルータ１００２に接続される。
【００２５】
中継機１００１は、タップ１００４から送信された消費電力情報を蓄積するともに、消費電力情報をワイヤレスブロードバンドルータ１００２を介して電力測定システムのコントローラとして機能するパーソナルコンピュータ１００３またはタブレット端末１００８に送信する。電力測定システムのコントローラは複数あってもよく、たとえば各部屋毎にコントローラを置いてもよい。
【００２６】
このようにして、タップ１００４からの信号は、コントローラに送信される。例えば、エアコンディショナー１００５の消費電力情報をタップ１００４aで得た場合には、その情報は中継器１００１とワイヤレスブロードバンドルータ１００２を介してコントローラであるパーソナルコンピュータ１００３またはタブレット端末１００８に情報が伝えられる。
【００２７】
コントローラは、得られた消費電力情報に基づき、特定の電気機器の消費電力や各消費電力測定器からの消費電力情報から導き出される家庭内の電気機器の総消費電力などに例示される、消費電力に関する情報を表示することができる。
【００２８】
なお、ここでいう消費電力情報の一例として、例えば、タップ１００４の電力測定時刻における電気機器が消費する消費電力や、電気機器の消費電力を一定時間積算した消費電力量などが挙げられる。
【００２９】
図２は、本発明の実施の形態に係る消費電力測定器であるタップを示した図である。図２（ａ）はタップ１００４の斜視図である。また、図２（ｂ）はタップ１００４の側面図である。また、図２（ｃ）はタップ１００４を図１（ａ）とは異なる方向から見た場合における斜視図である。
【００３０】
タップ１００４に接続した電気機器をコントローラが認識するためには、コントローラにタップ１００４とそれに接続した電気機器の対応関係に関する情報を設定しておく必要がある。
【００３１】
タップ１００４とそれに接続した電気機器の対応関係がコントローラに設定されていない場合には、タップ１００４に設置されたスキャナ２１０６で電気機器に関するコードを読み取ってコントローラに送信することにより、コントローラがタップ１００４に接続した電気機器が認識できるようにする。
【００３２】
タップ１００４は、その表面１００４Ａにプラグ差込用のソケット２１０１を備える。また、ソケット２１０１と同じ表面１００４Ａにコード読み取り手段であるスキャナ２１０６を備える。スキャナ２１０６は電気機器に関する情報を入力するための入力部であり、表面１００４Ａ上に矩形の入力窓を有しており、電気機器に関する情報が含まれている、ＱＲコード（登録商標）などの２次元コードやバーコードなどのコードが印刷された部分を入力窓に近接させることで、タップにコード情報を入力することができる。コードに含まれるコード情報としては、家電機器の名称と略称、消費電力目標値や家電機器の情報が参照できるインターネットのＵＲＬ情報などが挙げられる。
【００３３】
また、表面１００４ＡにはＬＥＤランプ２１０５が設置されており、タップの状態をユーザに知らせるために使用される。
【００３４】
また、表面１００４Ｂにはスキャナ２１０６を動作させるためのスキャンボタン２１０７と、タップの各種の設定を行う設定ボタン２１０８が設置されている。
【００３５】
タップ１００４の表面１００４Ｃには家庭用コンセントなどを介して電源に接続するための電源接続部であるプラグ２１０２を備える。なお、表面１００４Ａは表面１００４Ｃと反対側の面であり表面１００４Ｂに隣接する面である。
【００３６】
プラグ２１０２を家庭用コンセントに挿入することでタップ１００４に通電し、後述する中継機への通信やスキャナ２１０６によるコード読み取りが可能になる。さらに、電気機器を接続するための機器接続部であるソケット２１０１に電気機器のプラグを挿入することで、当該電気機器に通電するとともに、当該電気機器の消費電力に関する情報が取得可能になる。
【００３７】
図２において、電気機器に関する電気機器情報を入力するため入力部としてコード読み取り手段であるスキャナ２１０６を例示したが、コード読み取り手段として、撮像素子を用いて、コードを撮影して、コード情報を入力しても良い。
【００３８】
図３は消費電力測定器であるタップ１００４のハードウェア構成を示す図である。図３を参照して、タップ１００４はソケット２１０１と、プラグ２１０２と、シャトル抵抗２１０３と、電源部２１０４と、ＬＥＤ２１０５と、スキャナ２１０６と、スキャンボタン２１０７と設定ボタン２１０８と、送受信部であるアンテナ２１０９と、電力センサ部２１１０と、低速無線通信モジュール２１２０と、配線２１３１と、配線２１３２と、配線２１３３とを備える。
【００３９】
電力センサ部２１１０は電圧入力Ａ／Ｄコンバータ部２１１１（以下、電圧入力ＡＤＣ部２１１１と記す）と、電流入力Ａ／Ｄコンバータ部２１１２（以下、電流入力ＡＤＣ部２１１２と記す）と、乗算器２１１３とデジタル／周波数変換部２１１４とを含む。低速無線モジュール２１２０は、ＣＰＵ２１２１と、ＲＯＭ２１２２と、ＲＡＭ２１２３と、汎用入出力部２１２４（以下、ＧＰＩＯ２１２４と記す）と、無線ＲＦ部２１２５とおよび、不揮発性メモリであるフラッシュメモリ２１２６を含む。
【００４０】
配線２１３２と、配線２１３３はシャント抵抗２１０３により接続されている。シャント抵抗２１０３は電流の測定のために使用される微小な抵抗である。
【００４１】
ソケット２１０１とプラグ２１０２は配線２１３１、２１３２、２１３３およびシャント抵抗２１０３で接続されている。配線２１３１はプラグ２１０２の一方の端子およびソケット２１０１の一方の端子に接続されている。配線２１３２はプラグ２１０２の他方の端子とシャント２１０３抵抗の一方の端部とに接続されている。配線２１３３は、ソケット２１０１とシャント抵抗２１０３の他方の端部とに接続されている。
【００４２】
電源部２１０４は、配線２１３２に接続されている。電源部２１０４は交流を直流に変換する。電源部２１０４は変換により得られた直流電力を電源センサ部２１１０と低速無線通信モジュール２１２０とに与える。
【００４３】
電圧入力ＡＤＣ部２１１１は、配線２１３１と配線２１３２に接続されている。電圧入力ＡＤＣ部２１１１は配線２１３１と配線２１３２との電位差（電圧）をデジタル信号にて乗算器２１１３に出力する。
【００４４】
電流入力ＡＤＣ部２１１２は、配線２１３２と配線２１３３に接続されている。電流入力ＡＤＣ部２１１２はシャント抵抗２１０３に流れる電流の電流値をデジタル信号にて乗算器２１１３に出力する。
【００４５】
乗算器２１１３は、電圧入力ＡＤＣ部２１１２と電流入力ＡＤＣ部２１１３からの出力とを乗算し、当該乗算により得られたデジタル信号をデジタル／周波数変換部２１１４に出力する。
【００４６】
デジタル／周波数変換部２１１４は、入力されたデジタル信号を周波数信号に変換する。デジタル／周波数変換部２１１４は変換により得られた周波数信号を低速無線通信モジュール部２１２０のＧＰＩＯ２１２４に出力する。
【００４７】
タップ１００４のプロセッサであるＣＰＵ２１２１は、ＧＰＩＯ２１２４から取得した上記周波数信号をデータ変換する。無線ＲＦ部２１２５はデータ変換により得られた信号をアンテナ２１０９を用いて後述する中継機に送信する。
【００４８】
ＲＯＭ２１２２には、ＣＰＵ２１２１が実行するプログラムが格納されている。ＲＡＭ２１２３は、ＣＰＵ２１２１が処理するデータおよび処理したデータを一時的に格納する。ＦＲＡＭ２１２６は書き換え可能な不揮発性の記憶部であり、タップ１００４を電源から外した場合でも必要な情報を蓄えておくことができる。そのため、タップで電気機器に関する情報を読み取った後、一旦家庭用コンセントからタップを外して、電気機器の近くのコンセントにタップ１００４を再度接続したり、あるいは、不意にタップ１００４が家庭用コンセントから外れてしまったときでも電気機器に関する情報が失われることがない。
【００４９】
設定ボタン２１０８は、タップ１００４の各種設定をするボタンであり、また、スキャンボタン２１０７は、スキャナ２１０６による入力を行う際に使用される。各ボタン２１０７、２１０８からの入力は、ＧＰＩＯ２１２４を介してＣＰＵに伝えられる。
【００５０】
コード入力部であるスキャナ２１０６は、電源部２１０４により駆動され、スキャンボタン２１０７の操作によりコードをスキャンしてそのスキャンしたデータをＧＩＰＯ２１２４を介してＣＰＵ２１２１に送る。ＣＰＵ２１２１は、スキャンしたデータに基づいて演算することにより、コード情報を取り出すことができる。また、ＧＩＰＯ２１２４に接続されたＬＥＤ２１０５は、スキャナ２１０６によるコード読み取り状況をユーザに知らせるために使用される。
【００５１】
図４は、中継器１００１のブロック図である。中継器１００１は、制御部１１０１と、操作部１１０２と、表示部１１０３と、高速通信インターフェース部１１０４と電源部１１０５と、低速無線通信モジュール１１０６と、送受信部であるアンテナ１１０７とを備える。
【００５２】
操作部１１０２は、スイッチ等の入力デバイスである。表示部１１０３は、ＬＥＤランプ等の出力デバイスである。高速通信インターフェース部１１０４は、ブロードバンドルータとの間でＥｔｈｅｒｎｅｔ等を用いた通信を行うためのインターフェースである。電源部１１０５は、制御部１１０１と低速無線通信モジュール１１０６とに電力を供給する。
【００５３】
制御部１１０１は、操作部１１０２と、表示部１１０３と、高速無線インターフェース部１１０４と、電源部１１０５と、低速無線モジュール１１０６とに接続されている。制御部１１０１はゲートウェイの全体的な動作を制御する。制御部１１０１は操作部１１０２からの入力を受け付ける。また、制御部１１０１は、表示部１１０３に出力指示を出し、表示部１１０３は中継器１００１の動作状態を表示する。
【００５４】
低速無線通信モジュールは、アンテナに接続されている。低速無線通信モジュール１１０６は、低速無線通信ネットワークＺ上に存在する通信機器との間の通信を制御する。
【００５５】
図５は、本発明の実施の形態に従うホームコントローラであるタブレット端末１００８のハードウェア構成を示すブロック図である。図５を参照して、タブレット端末１００８は、プロセッサであるＣＰＵ３００１と、メモリ３００２と、通信インターフェース３００７と、出力インターフェース３００４と、入力インターフェース３００５と、ハードディスク３００６と、時計３００８と、表示部３００３とを含む。当該構成において、出力インターフェース３００４と表示部３００３のスピーカ３０１１、ディスプレイ３０１２が接続されており、音声をスピーカ３０１１から出力することができる。また、画像をディスプレイ３０１２に表示することができる。また、表示部３００３はタブレット３０１３と操作ボタン３０１４を含み、当該タブレット３０１３および操作ボタン３０１４からの操作入力を入力インターフェース３００５は受け付ける。
【００５６】
ＣＰＵ３００１は、タブレット端末１００８における全体処理を司る処理主体であり、メモリ３００２などに予め格納されたプログラムを実行することによりホームコントローラとして動作する。ＣＰＵ３００１は、入力インターフェース３００４を介してタブレット３０１３または操作ボタン３０１４より入力されたユーザ操作に応答して、当該ユーザ操作によって指示された処理を実行する。このような指示としては、タップ１００４の情報をディスプレイ３０１２に表示させる指示や、現在、または過去の電力管理状態をディスプレイ３０１２に表示させる指示などを含む。
【００５７】
表示部３００３は、ユーザインターフェースを提供する装置であり、ＣＰＵ３００１からの命令に従って各種情報をユーザに提示するとともにユーザから入力された指示をＣＰＵ３００１へ出力する。より具体的には、ディスプレイ３０１２は、例えばＬＣＤや有機ＥＬディスプレイなどからなりその表示面に画像を表示する。タブレット３０１３は、ユーザの指などによるタッチ操作を検出してそのタッチ操作がなされた位置を示す座標値などをＣＰＵ３００１へ出力する。本実施の形態に於いては、表示部のディスプレイ３０１２上にタブレット３０１３が設けられている。ホームコントローラは、必ずしもタブレット端末である必要はなく、例えばローカルエリアネットワーク（LAN）で接続したパーソナルコンピュータ１００３上でコントロール用ソフトウェアを動作させてコントローラとして機能させてもよい。
【００５８】
図６は、タップ１００４で電気機器に関するコードを取得するための手順（ペアリング操作）を示したフローチャートである。図６（ａ）は、タップの動作を示すフローチャートであり、図６（ｂ）は、中継器の動作を示すフローチャートであり、図６（ｃ）は、タブレット端末の動作を示すフローチャートである。
図６（ａ）を参照して、タップ１００４の動作を説明する。タップ１００４を家庭用コンセント１０１５に接続して通電する（ステップＳ１）。
【００５９】
次に、制御部２１２０は、フラッシュメモリ２１２６上に電気機器情報があるかどうかを確認する（ステップＳ２）。
【００６０】
電気機器情報がない場合は、ＬＥＤ２１０５を２回点滅させて、電気機器情報入力モードに移行する（ステップＳ３）。
【００６１】
すでにフラッシュメモリ２１２６上になんらかの電気機器情報がある場合には、ＬＥＤ２１０５を連続点灯状態にして、ユーザに電気機器情報があることを示す。この場合において、新たな電気機器情報をタップに入力する場合は、ユーザはタップ１００４の設定ボタン２１０８を長押ししてフラッシュメモリ２１０６上の電気機器情報を消去して（ステップＳ２１）、電気機器情報入力モードに移行（ステップＳ３）することができる。
【００６２】
次に、スキャンボタン２１０７を押下することでスキャナ２１０６が読み取り動作を開始する（ステップＳ４）。
【００６３】
ユーザが電気機器の取扱説明書などに印刷された電気機器情報を含むバーコードや２次元コードなどの図形パターンをスキャナ２１０６の正面に近付けてコードをスキャンする（ステップＳ５）。
【００６４】
スキャンしたデータは、制御部２１２０に送られ、制御部２１２０はスキャンしたデータに基づいてＣＰＵ２１２１で演算して、コード情報を取り出す（ステップＳ６）。
【００６５】
コード情報の取り出しに成功した場合には、次のステップＳ８に進むが、コードが歪んでスキャンされるなどして、コード情報が取り出せず、コード情報取り出しに失敗した場合には、このステップＳ５をおよびＳ６を繰り返す（ステップＳ７）。
【００６６】
スキャンしたデータからコード情報の読み取りが成功すると、コード情報をフラッシュメモリ２１２６に保管される（ステップＳ８）。このとき、ＬＥＤ２１０６を点滅させて読み取りが成功したことを知らせる。
【００６７】
コード情報は、アンテナ２１０９を介して中継器１００１に送信される（ステップＳ９）。
【００６８】
次に、図６（ｂ）を参照して、中継器１００１の動作を説明する。中継器１００１は、タップ１００４から送信されたコードをアンテナ１１０７で、受信する（ステップＳ１０）。
【００６９】
受信した情報は、中継機器の制御部内のメモリに記憶される（ステップＳ１１）。
【００７０】
次に、高速通信インターフェース部１１０４を介してコントローラであるタブレット端末１００８に送信する（ステップＳ１２）。
【００７１】
次に、図６（ｃ）を参照して、タブレット端末１００８の動作を説明する。タブレット端末１００８は通信インターフェース３００７を介してコードを受信する（ステップＳ１３）。
【００７２】
受信したコードは記憶装置３００６に保管される（ステップＳ１４）。
【００７３】
このようにして、タブレット端末３００８は、タップ１００４が接続された電気機器のコードを取得することができる。また、必要に応じて呼び出して使用することができる。コード情報には電気機器情報が含まれているので、コード情報に基づいてタップ１００４とそれに接続された電気機器とを対応づけて管理および表示できるようになる（ステップＳ１５）。
【００７４】
図６に示されるような方法で、ユーザがタップ１００４ａを操作して、エアコンディショナー１００５に対応するコード情報をタップ１００４ａに読み込ませて、エアコンディショナー１００５のプラグ１０５１をタップ１００４ａに接続することで、タップ１００４ａとエアコンディショナー１００５との対応関係をユーザが直接的に認識できる。
【００７５】
すなわち、消費電力測定器であるタップ１００４によって，電力測定対象となる電気機器のコードを取得できるので、ユーザが他の電気機器に接続使用するタップと取り違えることなく確実に消費電力測定器と電気機器とのペアリングを行うことができる。
【００７６】
このペアリングのための電気機器情報読み取りの操作は、タップ１００４がネットワークＺに接続されていない状態でも行うことができる。電気機器情報を読み取り後、タップ１００４がネットワークＺに接続したときにフラッシュメモリ２１２６に保管されたコード情報を中継器１００１および中継器とネットワークＥで接続されているタブレット端末１００８などのコントローラに送信することができる。
【００７７】
さらに、コード情報が、不揮発性メモリであるフラッシュメモリ２１２６に保管されているので、コントローラであるタブレット端末１００８の不具合でタブレット端末１００８に保管されている電気機器のコード情報が失われた場合でも、タップ１００４のフラッシュメモリ２１２６の情報を活用することにより、タブレット端末１００８が電気機器のコード情報を取得することができる。すなわち、電気機器に関する情報を消費電力測定器内の不揮発性メモリに記憶しているので、コントローラや中継器が電気機器に関する情報を喪失した場合に於いても、消費電力測定器内の情報をコントローラまたは中継器が利用することができるので、ユーザが改めて消費電力装置と電気機器の対応関係を再設定する必要がない。
【００７８】
また、コード情報をフラッシュメモリ２１２６に記憶した状態でタップ１００４をコンセントから抜いてもコード情報が失われないので、コード入力作業と家電機器への接続とをそれぞれ別々の場所で行うことができるので、ユーザの利便性が高まる。
【００７９】
また、コード情報にはコントローラであるタブレット端末１００８に登録される電気機器情報のすべてが含まれている必要はなく、例えば、読み取られたコード情報に含まれる電気機器を特定する情報から当該電気機器に関するさらに詳しい情報をタブレット端末１００８がインターネットを介して取得してもよい。
【００８０】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１００１  中継器、１００４  タップ、１００３  パソコン、１００８  タブレット端末、２１０１  ソケット、２１０２  プラグ、２１０５  ＬＥＤ、２１０６  スキャナ、２１０７  スキャンボタン、２１０８  設定ボタン、２１０９  アンテナ、２１２６  フラッシュメモリ、３００３  表示部、３００４  出力インターフェース、３００７  通信インターフェース
【図１】
2014035274.tif 000003
【図２】
2014035274.tif 000004
【図３】
2014035274.tif 000005
【図４】
2014035274.tif 000006
【図５】
2014035274.tif 000007
【図６】
2014035274.tif 000008
【図７】
2014035274.tif 000009